(57)【要約】【課題】  双方向通信を行うことができない場合が生じたとしても、双方向番組を有効に利用することができる「移動体デジタル放送受信装置」を提供すること。【解決手段】  放送局から受信したデジタル放送の内容を表示部５に表示不能な場合かつ放送局から受信したデジタル放送に双方向通信用データが含まれている場合に、双方向通信用データを自動的に記録する記録手段２，２７を備え、記録手段２，２７による双方向通信用データの記録の後に、放送局から受信したデジタル放送の内容を表示部５に表示可能となった場合に、記録手段２，２７によって記録された双方向通信用データを用いることが可能に形成されていること。【選択図】      図１
2007036682.tif 000002
【特許請求の範囲】
【請求項１】
移動体に搭載され、放送局から、この放送局との間での双方向通信のための双方向通信用データを含むデジタル放送を受信可能とされ、前記放送局から受信した前記デジタル放送の内容を前記表示部に表示可能とされた移動体デジタル放送受信装置であって、
前記放送局から受信した前記デジタル放送の内容を前記表示部に表示不能な場合かつ前記放送局から受信した前記デジタル放送に前記双方向通信用データが含まれている場合に、前記双方向通信用データを自動的に記録する記録手段を備え、
前記記録手段による前記双方向通信用データの記録の後に、前記放送局から受信したデジタル放送の内容を前記表示部に表示可能となった場合に、前記記録手段によって記録された前記双方向通信用データを用いることが可能に形成されていること
を特徴とする移動体デジタル放送受信装置。
【請求項２】
移動体に搭載され、放送局から、この放送局との間での双方向通信のための双方向通信用データを含むデジタル放送を受信可能とされた移動体デジタル放送受信装置であって、
前記放送局に対するデータの送信が不能な場合かつ前記放送局から受信した前記デジタル放送に前記双方向通信用データが含まれている場合に、前記双方向通信用データを自動的に記録する記録手段を備え、
前記記録手段による前記双方向通信用データの記録の後に、前記放送局に対するデータの送信が可能となった場合に、前記記録手段によって記録された前記双方向通信用データを用いることが可能に形成されていること
を特徴とする移動体デジタル放送受信装置。
【請求項３】
前記記録手段は、前記双方向通信用データを自動的に記録する際に、この双方向通信用データと同一の双方向通信用データが既に記録されている場合には、この既に記録されている双方向通信用データを削除すること
を特徴とする請求項１または請求項２に記載の移動体デジタル放送受信装置。
【請求項４】
前記記録手段は、前記双方向通信用データを自動的に記録する際に、既に記録されている双方向通信用データの数が、最大記録可能数に達している場合には、前記既に記録されている双方向通信用データのうち、最も古い双方向通信用データを削除すること
を特徴とする請求項１乃至請求項３のいずれか１項に記載の移動体デジタル放送受信装置。
【請求項５】
前記記録手段は、前記双方向通信用データを自動的に記録する際に、既に記録されている双方向通信用データの数が、最大記録可能数に達している場合には、前記既に記録されている双方向通信用データのうち、ユーザによって保護設定されていない最も古い双方向通信用データを削除すること
を特徴とする請求項４に記載の移動体デジタル放送受信装置。
【請求項６】
前記双方向通信用データが、双方向通信用の画面を前記表示部に表示可能とされたデータであること
を特徴とする請求項１乃至請求項５のいずれか１項に記載の移動体デジタル放送受信装置。
【請求項７】
前記双方向通信用データが、ＢＭＬデータであること
を特徴とする請求項１乃至請求項６のいずれか１項に記載の移動体デジタル放送受信装置。
【請求項８】
前記記録手段は、前記双方向通信用データの自動的な記録の際に、前記双方向通信用の画面内に表示される映像も記録することを特徴とする請求項６または請求項７に記載の移動体デジタル放送受信装置。
【請求項９】
車両に搭載されることを特徴とする請求項１乃至請求項８のいずれか１項に記載の移動体デジタル放送受信装置。
【請求項１０】
前記表示部に、前記記録手段によって記録された複数の双方向通信用データに対応する複数の双方向通信用の画面を同時に表示可能に形成されていること
を特徴とする請求項６乃至請求項９のいずれか１項に記載の移動体デジタル放送受信装置。
【発明の詳細な説明】
【技術分野】
【０００１】
本発明は、移動体デジタル放送受信装置に係り、特に、放送局との間での双方向通信を行うのに好適な移動体デジタル放送受信装置に関する。
【背景技術】
【０００２】
近年、車載器等において、映像および音声をデジタル信号として送信するデジタル放送を提供することが行われている。
【０００３】
このようなデジタル放送の番組には、視聴者参加番組やテレビショッピング番組等の、放送局とユーザ側受信装置との間での双方向通信をともなう双方向番組がある。
【０００４】
このような双方向番組においては、放送局からユーザ側受信装置に対して、映像や音声を含む主放送波とともに、ＢＭＬ（Broadcast Markup Language）データを含む副放送波が送信されるようになっている。
【０００５】
このＢＭＬデータは、ユーザ側受信装置に接続されたモニタ上に、放送局に対してユーザ側のデータ（例えば、テレビショッピングにおける特定の商品を選択する旨のデータ等）を送信するための操作ボタン等を備えた双方向通信用の画面を表示することができるようになっている。
【０００６】
そして、ユーザは、モニタ上に表示された双方向通信用の画面において、操作ボタン等を介して所望のデータを入力して放送局に送信するようになっていた。
【０００７】
なお、車載器の場合には、携帯電話を通じてユーザ側のデータを放送局に送信するようになっていた。
【０００８】
【特許文献１】特開２００５−９４３５９号公報
【発明の開示】
【発明が解決しようとする課題】
【０００９】
しかしながら、従来は、例えば、車載器において前述したテレビショッピング等を行う場合には、車載器は、安全上の理由から、走行中にはモニタ上に放送局から受信した映像はもとより、双方向通信用の画面を表示することもできないため、デジタル放送を受信することができても、これに含まれる双方向通信用の画面を用いた双方向通信を行うことができない場合があった。
【００１０】
この場合、たとえ、音声のみを再生したとしても、音声のみではどのような内容のデータ通信が可能であるのかを確認することができないため、双方向通信を行うことは困難であった。
【００１１】
また、テレビショッピング等を行う場合に、デジタル放送を受信することができても、ユーザ側受信装置に接続された通信端末（携帯電話等）の電波状態が悪い場合には、ユーザ側のデータを放送局に対して送信することができず、双方向通信自体を行うことがでない場合や、あるいは、正常に通信を行うことができたか否かを確認することができない場合があった。
【００１２】
このように、従来は、デジタル放送を受信することができても双方向通信を行うことができない場合があり、これにより、双方向番組を有効に利用することができないといった問題が生じていた。
【００１３】
そこで、本発明は、このような問題に鑑みなされたものであり、双方向通信を行うことができない場合が生じたとしても、双方向番組を有効に利用することができる移動体デジタル放送受信装置を提供することを目的とするものである。
【課題を解決するための手段】
【００１４】
前述した目的を達成するため、本発明に係る移動体デジタル放送受信装置は、放送局から受信したデジタル放送の内容を表示部に表示不能な場合かつ前記放送局から受信した前記デジタル放送に双方向通信用データが含まれている場合に、前記双方向通信用データを自動的に記録する記録手段を備え、前記記録手段による前記双方向通信用データの記録の後に、前記放送局から受信したデジタル放送の内容を前記表示部に表示可能となった場合に、前記記録手段によって記録された前記双方向通信用データを用いることが可能に形成されていることを特徴としている。
【００１５】
そして、このような構成によれば、放送局から受信したデジタル放送の内容を表示部に表示不能な場合が生じたとしても、記録手段によって双方向通信用データを自動的に記録することによって、その後に放送局から受信したデジタル放送の内容を表示部に表示可能となった場合に、記録手段によって記録された双方向通信用データを有効に利用して双方向通信を行うことが可能となる。
【００１６】
また、本発明に係る移動体デジタル放送受信装置は、放送局に対するデータの送信が不能な場合かつ前記放送局から受信したデジタル放送に双方向通信用データが含まれている場合に、前記双方向通信用データを自動的に記録する記録手段を備え、前記記録手段による前記双方向通信用データの記録の後に、前記放送局に対するデータの送信が可能となった場合に、前記記録手段によって記録された前記双方向通信用データを用いることが可能に形成されていることを特徴としている。
【００１７】
そして、このような構成によれば、放送局に対するデータの送信が不能な場合が生じたとしても、記録手段によって双方向通信用データを自動的に記録することによって、その後に放送局に対するデータの送信が可能となった場合に、記録手段によって記録された双方向通信用データを有効に利用して双方向通信を行うことが可能となる。
【００１８】
さらに、本発明に係る移動体デジタル放送受信装置は、記録手段が、双方向通信用データを自動的に記録する際に、この双方向通信用データと同一の双方向通信用データが既に記録されている場合には、この既に記録されている双方向通信用データを削除することを特徴としている。
【００１９】
そして、このような構成によれば、同一の双方向通信用データが、時間をおいて複数受信された場合には、記録手段によって、最新の双方向通信用データのみを確定的に記録することが可能となる。
【００２０】
さらにまた、本発明に係る移動体デジタル放送受信装置は、記録手段が、双方向通信用データを自動的に記録する際に、既に記録されている双方向通信用データの数が、最大記録可能数に達している場合には、前記既に記録されている双方向通信用データのうち、最も古い双方向通信用データを削除することを特徴としている。
【００２１】
そして、このような構成によれば、既に記録されている双方向通信用データの数が最大記録可能数に達している場合には、記録手段によって、新しい双方向通信用データを優先的に記録することが可能となる。
【００２２】
また、本発明に係る移動体デジタル放送受信装置は、記録手段が、双方向通信用データを自動的に記録する際に、既に記録されている双方向通信用データの数が、最大記録可能数に達している場合には、前記既に記録されている双方向通信用データのうち、ユーザによって保護設定されていない最も古い双方向通信用データを削除することを特徴としている。
【００２３】
そして、このような構成によれば、新しい双方向通信用データを優先的に記録する場合であっても、ユーザが希望する双方向通信用データについては、その新旧を問わずに優先的に記録することが可能となる。
【００２４】
さらに、本発明に係る移動体デジタル放送受信装置は、双方向通信用データが、双方向通信用の画面を前記表示部に表示可能とされたデータであることを特徴としている。
【００２５】
そして、このような構成によれば、双方向通信を行うことができない場合が生じたとしても、その後に双方向通信を行うことができるようになった場合に、記録手段によって記録された双方向通信用データを用いて双方向通信用の画面を表示部に表示することにより、双方向通信を行うことが可能となる。
【００２６】
さらにまた、本発明に係る移動体デジタル放送受信装置は、双方向通信用データが、ＢＭＬデータであることを特徴としている。
【００２７】
そして、このような構成によれば、双方向通信を行うことができない場合が生じたとしても、その後に双方向通信を行うことができるようになった場合に、記録手段によって記録されたＢＭＬデータを用いて双方向通信を行うことが可能となる。
【００２８】
また、本発明に係る移動体デジタル放送受信装置は、記録手段が、双方向通信用データの自動的な記録の際に、双方向通信用の画面内に表示される映像も記録することを特徴としている。
【００２９】
そして、このような構成によれば、放送局から受信したデジタル放送の内容を表示部に表示可能となった場合に、記録手段によって記録された映像を双方向通信用の画面内に表示することが可能となる。
【００３０】
さらに、本発明に係る移動体デジタル放送受信装置は、車両に搭載されることを特徴としている。
【００３１】
そして、このような構成によれば、車載器においても、記録手段によって記録された双方向通信用データを有効に利用して双方向通信を行うことが可能となる。
【００３２】
さらにまた、本発明に係る移動体デジタル放送受信装置は、表示部に、記録手段によって記録された複数の双方向通信用データに対応する複数の双方向通信用の画面を同時に表示可能に形成されていることを特徴としている。
【００３３】
そして、このような構成によれば、表示部に、複数の双方向通信用の画面を同時に表示することによって、双方向通信の相手先を選択することが可能となる。
【発明の効果】
【００３４】
本発明に係る移動体デジタル放送受信装置によれば、双方向通信を行うことができない場合として、放送局から受信したデジタル放送の内容を表示部に表示不能な場合が生じたとしても、その後に放送局から受信したデジタル放送の内容を表示部に表示可能となった場合に、記録手段によって記録された双方向通信用データを有効に利用して双方向通信を行うことができる結果、双方向番組を有効に利用することができる。
【００３５】
さらに、デジタル放送の内容を表示部に表示不能な場合に限り、双方向通信用データを記録することにより、双方向通信用データの記録に要する移動体デジタル放送受信装置のメモリ容量を抑えることができ、コストを削減することができる。
【００３６】
また、本発明に係る移動体デジタル放送受信装置によれば、双方向通信を行うことができない場合として、放送局に対するデータの送信が不能な場合が生じたとしても、その後に放送局に対するデータの送信が可能となった場合に、記録手段によって記録された双方向通信用データを有効に利用して双方向通信を行うことができる結果、双方向番組を有効に利用することができる。
【００３７】
さらに、放送局に対するデータの送信が不能な場合に限り、双方向通信用データを記録することにより、双方向通信用データの記録に要する移動体デジタル放送受信装置のメモリ容量を抑えることができ、コストを削減することができる。
【００３８】
さらに、本発明に係る移動体デジタル放送受信装置によれば、同一の双方向通信用データが、時間をおいて複数受信された場合には、記録手段によって、最新の双方向通信用データのみを確定的に記録することができる結果、最新の双方向通信用データを用いることによって、双方向番組をさらに有効に利用することができ、あわせて、移動体デジタル放送受信装置のメモリ容量をさらに軽減することができる。
【００３９】
さらにまた、本発明に係る移動体デジタル放送受信装置によれば、既に記録されている双方向通信用データの数が最大記録可能数に達している場合には、記録手段によって、新しい双方向通信用データを優先的に記録することができる結果、新しい双方向通信用データを用いることによって、双方向番組をさらに有効に利用することができ、あわせて、移動体デジタル放送受信装置のメモリ容量をさらに軽減することができる。
【００４０】
また、本発明に係る移動体デジタル放送受信装置によれば、新しい双方向通信用データを優先的に記録する場合であっても、ユーザが希望する双方向通信用データについては、その新旧を問わずに優先的に記録することができる結果、ユーザが所望の双方向通信用データを確実に用いることができ、双方向番組をさらに有効に利用することができる。
【００４１】
さらに、本発明に係る移動体デジタル放送受信装置によれば、双方向通信を行うことができない場合が生じたとしても、その後に双方向通信を行うことができるようになった場合に、記録手段によって記録された双方向通信用データによって表示部に双方向通信用の画面を表示することができる結果、双方向番組を有効に利用することができる。
【００４２】
さらにまた、本発明に係る移動体デジタル放送受信装置によれば、双方向通信を行うことができない場合が生じたとしても、その後に双方向通信を行うことができるようになった場合に、記録手段によって記録されたＢＭＬデータを用いて双方向番組を有効に利用することができる。
【００４３】
また、本発明に係る移動体デジタル放送受信装置によれば、放送局から受信したデジタル放送の内容を表示部に表示不能な場合が生じたとしても、その後に放送局から受信したデジタル放送の内容を表示部に表示可能となった場合に、記録手段によって記録された映像を双方向通信用の画面内に表示することができる結果、双方向番組をさらに有効に利用することができる。
【００４４】
さらに、本発明に係る移動体デジタル放送受信装置によれば、車載器においても、記録手段によって記録された双方向通信用データを有効に利用して双方向通信を行うことができる結果、双方向通信を行うことができない場合が生じたとしても、双方向番組を有効に利用することができる車載用の移動体デジタル放送受信装置を実現することができる。
【００４５】
さらにまた、本発明に係る移動体デジタル放送受信装置によれば、表示部に、複数の双方向通信用の画面を同時に表示することによって、双方向通信の選択肢を増やすことができる結果、利便性をさらに向上させることができる。
【発明を実施するための最良の形態】
【００４６】
以下、本発明に係る移動体デジタル放送受信装置の実施形態について、図１乃至図５を参照して説明する。
【００４７】
本実施形態における移動体デジタル放送受信装置は、車両に搭載された車載用の移動体デジタル放送受信装置とされている。
【００４８】
図１に示すように、本実施形態における移動体デジタル放送受信装置１は、制御部２を有しており、この制御部２は、移動体デジタル放送受信装置１と図示しない放送局との間での双方向通信をともなうデジタル放送の送受信に要する種々の制御や処理を行うようになっている。
【００４９】
制御部２には、操作部３が接続されており、この操作部３の操作により、ユーザが移動体デジタル放送受信装置１に対して種々の入力操作を行うことができるようになっている。操作部３の具体例としては、リモコン、リニアエンコーダまたは後述する表示部５のタッチパネル等を挙げることができる。
【００５０】
制御部２には、アンテナ６が搭載された受信選局部７が接続されており、この受信選局部７は、制御部２の制御の下で、ユーザによる操作部３の操作によって選局された所定の放送局から送信されたデジタル放送信号を受信するようになっている。
【００５１】
そして、受信選局部７は、放送局から受信したデジタル放送信号を移動体デジタル放送受信装置１の内部に出力するようになっている。
【００５２】
受信選局部７の出力側には、復調部９が接続されており、この復調部９には、受信選局部７から出力されたデジタル放送信号が入力されるようになっている。さらに、復調部９には、制御部２が接続されている。
【００５３】
復調部９は、制御部２の制御の下で、受信選局部７側から入力されたデジタル放送信号を復調した上で出力するようになっている。
【００５４】
復調部９の出力側には、誤り検出／訂正部１０が接続されており、この誤り検出／訂正部１０には、復調部９から出力されたデジタル放送信号が入力されるようになっている。さらに、誤り検出／訂正部１０には、制御部２が接続されている。
【００５５】
誤り検出／訂正部１０は、制御部２の制御の下で、復調部９側から入力されたデジタル放送信号に対する誤りの検出や訂正を、デジタル放送信号に付加された誤り検出符号またはエラー訂正符号に基づいて行うとともに、誤り検出または訂正が行われたデジタル放送信号を出力するようになっている。
【００５６】
誤り検出／訂正部１０の出力側には、データ分離部１１が接続されており、このデータ分離部１１には、誤り検出／訂正部１０から出力されたデジタル放送信号が入力されるようになっている。さらに、データ分離部１１には、制御部２が接続されている。
【００５７】
データ分離部１１は、制御部２の制御の下で、誤り検出／訂正部１０側から入力されたデジタル放送信号を、音声データ、映像データおよび双方向通信用データとしてのＢＭＬデータにそれぞれ分離した上で出力するようになっている。
【００５８】
データ分離部１１の出力側には、音声データバッファ１４、映像データバッファ１５およびＢＭＬデータバッファ１６が接続されており、これらのバッファ１４，１５，１６には、データ分離部１１から出力された音声データ、映像データおよびＢＭＬデータがそれぞれ入力されるようになっている。さらに、これら音声データバッファ１４、映像データバッファ１５およびＢＭＬデータバッファ１６には、制御部２が接続されている。
【００５９】
音声データバッファ１４、映像データバッファ１５およびＢＭＬデータバッファ１６は、制御部２の制御の下で、データ分離部１１側から入力された音声データ、映像データおよびＢＭＬデータをそれぞれ一時的に保存した上で出力するようになっている。
【００６０】
音声データバッファ１４の出力側には、音声デコード部１７が接続されており、この音声デコード部１７には、音声データバッファ１４から出力された音声データが入力されるようになっている。さらに、音声デコード部１７には、制御部２が接続されている。
【００６１】
音声デコード部１７は、制御部２の制御の下で、音声データバッファ１４側から入力された音声データをデコードした上で出力するようになっている。
【００６２】
音声デコード部１７の出力側には、アンプ１８が接続されており、このアンプ１８には、音声デコード部１７から出力された音声データが入力されるようになっている。
【００６３】
そして、アンプ１８は、音声デコード部１７側から入力された音声データを増幅させた上で出力するようになっている。
【００６４】
アンプ１８の出力側には、スピーカ１９が接続されており、このスピーカ１９には、アンプ１８から出力された音声データが入力されるようになっている。
【００６５】
そして、スピーカ１９は、アンプ１８側から入力された音声データを音声出力するようになっている。
【００６６】
映像データバッファ１５の出力側には、映像デコード部２１が接続されており、この映像デコード部２１には、映像データバッファ１５から出力された映像データが入力されるようになっている。さらに、映像デコード部２１には、制御部２が接続されている。
【００６７】
映像デコード部２１は、制御部２の制御の下で、映像データバッファ１５側から入力された映像データをデコードした上で出力するようになっている。
【００６８】
ＢＭＬデータバッファ１６の出力側には、ＢＭＬデータ処理部２２が接続されており、このＢＭＬデータ処理部２２には、ＢＭＬデータバッファ１６から出力されたＢＭＬデータが入力されるようになっている。さらに、ＢＭＬデータ処理部２２には、制御部２が接続されている。
【００６９】
ＢＭＬデータ処理部２２は、制御部２の制御の下で、ＢＭＬデータバッファ１６側から入力されたＢＭＬデータに対して、このＢＭＬデータを表示部５に表示するための種々の処理（デコード等）を行い、この処理を行った後のＢＭＬデータを出力するようになっている。
【００７０】
映像デコード部２１の出力側であって、ＢＭＬデータ処理部２２の出力側には、画像合成部２３が接続されており、この画像合成部２３には、映像デコード部２１から出力された映像データと、ＢＭＬデータ処理部２２から出力されたＢＭＬデータとがそれぞれ入力されるようになっている。さらに、映像デコード部２１およびＢＭＬデータ処理部２２には、制御部２が接続されている。
【００７１】
画像合成部２３は、映像デコード部２１側から入力された映像データと、ＢＭＬデータ処理部２２側から入力されたＢＭＬデータとを合成して表示データを生成し、生成した表示データを出力するようになっている。
【００７２】
画像合成部２３の出力側には、表示部５が接続されており、この表示部５には、画像合成部２３から出力された表示データが入力されるようになっている。
【００７３】
表示部５は、画像合成部２３側から入力された表示データを表示するようになっている。
【００７４】
これにより、図２に示すように、表示部５の表示画面５ａ上には、ＢＭＬデータの内容として、操作部３による入力操作が可能とされた操作ボタン２４等のインターフェースと、放送映像表示画面２６とを備えた双方向通信用の画面２５が表示されることになる。
【００７５】
さらに、双方向通信用の画面２５における放送映像表示画面２６上には、映像データの内容として、放送映像２８が表示されることになる。
【００７６】
なお、放送映像２８の具体例としては、例えば、野球中継の映像を挙げることができ、また、双方向通信用の画面２５の具体例としては、他球場の試合をユーザが選択するための操作ボタンを備えた画面を挙げることができる。その他にも、例えば、放送映像２８として、テレビショッピングにおける商品の映像を表示し、双方向通信用の画面２５として、映像表示されている商品をユーザが選択するための操作ボタンや入力欄を備えた画面を表示するようにしてもよい。
【００７７】
本実施形態における移動体デジタル放送受信装置１には、双方向通信を行うことができない場合として、放送局から受信したデジタル放送の内容を表示部５に表示不能な場合が生じたとしても、双方向番組を有効に利用するための手段が講じられている。
【００７８】
すなわち、制御部２には、車両（自車）側から、パーキングブレーキのオンまたはオフを通知するパーキングブレーキ信号が入力されるようになっている。
【００７９】
制御部２は、車両側から入力されたパーキングブレーキ信号に基づいて、車両の走行状態を判定し、この判定の結果、車両が走行中の場合には、画像合成部２３に対する制御により、表示部５へのデジタル放送の内容（放送映像２８および双方向通信用の画面２５）の表示を行わないようになっている。
【００８０】
なお、制御部２は、パーキングブレーキ信号の代りに、車両側から入力される車速パルスに基づいて、車両の走行状態を判定するようにしてもよい。
【００８１】
また、このとき、制御部２は、表示部５へ一切の映像を表示しないように制御してもよいし、または、壁紙等のデジタル放送の内容以外の映像を表示するように制御してもよい。
【００８２】
さらに、制御部２には、記録部２７が接続されており、この記録部２７と制御部２とによって、記録手段が構成されている。
【００８３】
制御部２は、パーキングブレーキ信号の状態に基づいて、車両が走行中でデジタル放送の内容を表示部５に表示可能であるか否かを判定するとともに、ＢＭＬデータ処理部２２へのＢＭＬデータの入力の有無に基づいて、放送局から受信したデジタル放送にＢＭＬデータが含まれているか否かを判定するようになっている。
【００８４】
そして、この判定の結果、デジタル放送の内容を表示部５に表示不能の場合であって、放送局から受信したデジタル放送にＢＭＬデータが含まれている場合には、制御部２は、ＢＭＬデータ処理部２２内のＢＭＬデータを記録部２７に自動的に記録するようになっている。
【００８５】
なお、ＢＭＬデータは、双方向通信用の画面２５についての画像データとして記録部２７に記録されるようにしてもよい。
【００８６】
さらに、制御部２は、パーキングブレーキ信号の状態に基づいて、記録部２７へのＢＭＬデータの記録の後に、放送局から受信したデジタル放送の内容を表示部５に表示可能となった場合には、図３に示すように、記録部２７に記録されたＢＭＬデータの内容として、双方向通信用の画面２５を表示部５に表示するようになっている。
【００８７】
具体的には、制御部２は、記録部２７に記録されたＢＭＬデータを記録部２７から読み込んでＢＭＬデータ処理部２２に出力し、当該ＢＭＬデータを、ＢＭＬデータ処理部２２による処理（デコード等）を経た上で画像合成部２３に出力させるようになっている。
【００８８】
このとき、表示部５の表示画面５ａ上に、図３に示すように、放送映像を除く双方向通信用の画面２５が少なくとも表示されれば、この双方向通信用の画面２５を用いることによって、ユーザが双方向通信を迅速かつ適正に開始または継続することができる。
【００８９】
なお、制御部２は、記録部２７へのＢＭＬデータの記録の際に、ＢＭＬデータとともに映像データを記録するようにしてもよい。そのようにすれば、図３に示す双方向通信用の画面２５とともに、その双方向通信用の画面２５における放送映像表示画面２６上に、記録部２７に記録された映像データを表示させることができる。
【００９０】
したがって、本実施形態によれば、放送局から受信したデジタル放送の内容を表示部５に表示不能な場合が生じたとしても、制御部２によって記録部２７にＢＭＬデータを自動的に記録することにより、その後に放送局から受信したデジタル放送の内容を表示部５に表示可能となった場合に、記録部２７に記録されたＢＭＬデータを有効に利用して双方向通信を行うことが可能となる。
【００９１】
なお、この双方向通信における放送局に対するユーザ側のデータの送信（アップリンク）は、制御部２に接続された携帯電話３０を通じて行われるようになっている。
【００９２】
上記構成に加えて、さらに、本実施形態における移動体デジタル放送受信装置１には、双方向通信を行うことができない場合として、放送局に対するデータの送信が不能な場合が生じたとしても、双方向番組を有効に利用するための手段が講じられている。
【００９３】
すなわち、制御部２は、携帯電話３０の電波状態に基づいて、放送局に対するデータの送信が可能か否かを判定し、これに並行して、ＢＭＬデータ処理部２２へのＢＭＬデータの入力の有無に基づいて、放送局から受信したデジタル放送にＢＭＬデータが含まれているか否かを判定するようになっている。
【００９４】
そして、この判定の結果、放送局に対するデータの送信が不能の場合であって、放送局から受信したデジタル放送にＢＭＬデータが含まれている場合には、制御部２は、ＢＭＬデータ処理部２２内のＢＭＬデータを記録部２７に自動的に記録するようになっている。
【００９５】
さらに、制御部２は、携帯電話３０の電波状態に基づいて、記録部２７へのＢＭＬデータの記録の後に、放送局に対するデータの送信が可能となった場合には、図３と同様に、記録部２７に記録されたＢＭＬデータの内容として、双方向通信用の画面２５を表示部５に表示するようになっている。
【００９６】
したがって、本実施形態によれば、放送局に対するデータの送信が不能な場合が生じたとしても、記録部２７にＢＭＬデータを自動的に記録することによって、その後に放送局に対するデータの送信が可能となった場合に、記録部２７に記録されたＢＭＬデータを有効に利用して双方向通信を行うことが可能となる。
【００９７】
上記構成に加えて、さらに、本実施形態において、制御部２は、記録部２７にＢＭＬデータを自動的に記録する際に、そのＢＭＬデータと同一のＢＭＬデータ（以下、同一ＢＭＬデータと称する）が記録部２７に既に記録されているか否かを判定するようになっている。
【００９８】
そして、この判定の結果、同一ＢＭＬデータが記録部２７に記録されている場合には、制御部２は、この同一ＢＭＬデータを削除するようになっている。
【００９９】
これにより、同一のＢＭＬデータが、時間をおいて複数受信された場合には、制御部２によって、最新のＢＭＬデータのみを記録部２７に確定的に記録することが可能となる。
【０１００】
なお、ＢＭＬデータの同一性の判断基準については、コンセプトに応じて種々の判断基準を設けることができる。最も簡単な判断基準としては、同一の双方向通信用の画面２５を表示することができるＢＭＬデータであれば、同一のＢＭＬデータであると判断するようにする。
【０１０１】
上記構成に加えて、さらに、本実施形態において、制御部２は、記録部２７にＢＭＬデータを自動的に記録する際に、記録部２７に既に記録されているＢＭＬデータ（以下、記録済みＢＭＬデータと称する）の数（換言すれば、双方向通信用の画面２５の数）が、最大記録可能数に達しているか否かを判定するようになっている。
【０１０２】
そして、この判定の結果、記録済みＢＭＬデータの数が、最大記録可能数に達している場合には、制御部２は、記録済みＢＭＬデータのうち、最も古い記録済みＢＭＬデータを削除するようになっている。
【０１０３】
これにより、記録済みＢＭＬデータの数が最大記録可能数に達している場合には、制御部２によって、新しい双方向通信用データを優先的に記録部２７に記録することが可能となる。
【０１０４】
なお、制御部２は、記録済みＢＭＬデータの数が最大記録可能数に達している場合には、記録済みＢＭＬデータのうち、ユーザによって保護設定されていない最も古い記録済みＢＭＬデータを削除するようにしてもよい。そのようにすれば、原則として新しいＢＭＬデータを記録部２７に優先的に記録する場合であっても、ユーザが希望するＢＭＬデータについては、その新旧を問わずに優先的に記録部２７に記録しておくことが可能となる。この場合、ＢＭＬデータの保護設定については、操作部３の操作によって行うことができるようにすればよい。
【０１０５】
また、記録部２７には、ＢＭＬデータとともに、ＢＭＬデータの受信日時を記録するようにしてもよい。そのようにすれば、最も古い記録済みＢＭＬデータを迅速かつ適正に検出することができる。
【０１０６】
次に、本実施形態の作用として、記録部２７へのＢＭＬデータの記録に至るまでの一連の工程を図４を参照して説明する。
【０１０７】
本実施形態においては、受信選局部７によるデジタル放送の受信を開始した後に、図４のステップ１（ＳＴ１）に示すように、制御部２により、表示部５にデジタル放送の内容を表示可能であるか否かをパーキングブレーキ信号に基づいて判定し、かつ、放送局にデータの送信が可能であるか否かを携帯電話３０の電波状態に基づいて判定する。
【０１０８】
このステップ１（ＳＴ１）の判定において、表示部５にデジタル放送の内容を表示不能である場合または放送局にデータの送信が不能である場合には、ステップ２（ＳＴ２）に進み、表示部５にデジタル放送の内容を表示可能である場合かつ放送局にデータの送信が可能である場合には、ステップ１（ＳＴ１）に戻る。
【０１０９】
次いで、ステップ２（ＳＴ２）においては、制御部２によって、ＢＭＬデータ処理部２２へのＢＭＬデータの入力の有無に基づいて、放送局から受信したデジタル放送にＢＭＬデータが含まれているか否か、すなわち、ＢＭＬデータの取得の有無を判定する。
【０１１０】
そして、ステップ２（ＳＴ２）において、ＢＭＬデータが取得された場合にはステップ３（ＳＴ３）に進み、取得されていない場合には、ステップ２（ＳＴ２）に戻る。
【０１１１】
次いで、ステップ３（ＳＴ３）においては、制御部２により、比較回数（Ｎ）の値をクリアして０にした後にステップ４（ＳＴ４）に進む。
【０１１２】
次いで、ステップ４（ＳＴ４）においては、制御部２により、後述するステップ５（ＳＴ５）における比較回数が、記録済みＢＭＬデータの数よりも少ないか否かを判定し、比較回数が、記録済みＢＭＬデータの数よりも少ない場合には、ステップ５（ＳＴ５）に進み、多い場合には、ステップ７（ＳＴ７）に進む。
【０１１３】
ステップ５（ＳＴ５）においては、制御部２により、記録部２７にＮ番目に記録されているＢＭＬデータ（Ｎ番目の記録済みＢＭＬデータ）が、今回受信したＢＭＬデータに対して同一ＢＭＬデータであるか否かを判定し、同一ＢＭＬデータである場合にはステップ９（ＳＴ９）に進み、同一ＢＭＬデータでない場合には、ステップ６（ＳＴ６）に進む。
【０１１４】
ステップ６（ＳＴ６）においては、制御部２により、比較回数をインクリメントした後にステップ４（ＳＴ４）に戻る。
【０１１５】
一方、ステップ９（ＳＴ９）においては、制御部２により、記録部２７にＮ番目に記録されている記録済みＢＭＬデータを、その受信日時とともに削除した後に、後述するステップ１１（ＳＴ１１）に進む。
【０１１６】
次いで、ステップ４（ＳＴ４）からステップ７（ＳＴ７）に進んだ場合には、ステップ７（ＳＴ７）において、制御部２により、記録済みＢＭＬデータの数が、記録部２７へのＢＭＬデータの最大記録可能数に達しているか否かを判定し、最大記録可能数に達している場合には、ステップ１０（ＳＴ１０）に進み、達していない場合には、ステップ８（ＳＴ８）に進む。
【０１１７】
ステップ８（ＳＴ８）においては、制御部２により、記録済みＢＭＬデータの数をインクリメントした後にステップ１１（ＳＴ１１）に進む。
【０１１８】
一方、ステップ１０（ＳＴ１０）においては、制御部２は、記録済みＢＭＬデータのうち、最も古い記録済みＢＭＬデータを、その受信日時とともに削除した後にステップ１１（ＳＴ１１）に進む。このとき、制御部２は、ユーザによる保護設定がされていない記録済みＢＭＬデータのみを検索して、その中の最も古い記録済みＢＭＬデータを削除するようにしてもよい。
【０１１９】
次いで、ステップ１１（ＳＴ１１）においては、制御部２により、今回受信したＢＭＬデータを、その受信日時とともに記録部２７に記録した後に、処理を終了する。
【０１２０】
したがって、本実施形態によれば、放送局から受信したデジタル放送の内容を表示部５に表示不能な状態や、放送局に対するデータの送信が不能な状態が生じたとしても、そのような状態が解消された後に、記録部２７に記録されたＢＭＬデータを用いることによって、双方向通信用の画面２５を表示部５にすみやかに表示することができる。
【０１２１】
そして、この双方向通信用の画面２５を用いることによって、双方向通信を迅速かつ適正に開始または継続することができ、双方向番組を有効に利用することができる。
【０１２２】
さらに、デジタル放送の内容を表示部５に表示不能な場合または放送局に対するデータの送信が不能な場合に限り、双方向通信用データを記録部２７に記録することにより、双方向通信用データの記録に要する記録部２７の記憶容量を抑えることができ、コストを削減することができる。
【０１２３】
なお、本発明は、前述した実施の形態に限定されるものではなく、必要に応じて種々の変更が可能である。
【０１２４】
例えば、図５に示すように、制御部２の制御により、表示部５に、複数のＢＭＬデータに対応する複数の双方向通信用の画面２５を同時に表示するようにしてもよい。そのようにすれば、双方向通信の選択肢を増やすことができ、利便性をさらに向上させることができる。
【０１２５】
また、本実施形態における移動体デジタル放送受信装置１と放送局との間での双方向通信は、直接の双方向通信であってもよいことは勿論のこと、中継局等の他の装置を介在させた双方向通信であってもよい。
【０１２６】
さらに、本実施形態における移動体デジタル放送受信装置１は、車載器に用いられるものであるが、本発明は、このような構成に限定されるものではなく、例えば、携帯電話等の他の移動体においてデジタル放送を実施する場合にも有効に適用することができるものである。
【０１２７】
また、放送局として、複数の放送局との間での双方向通信を同時に行うようにしてもよい。
【図面の簡単な説明】
【０１２８】
【図１】本発明に係る移動体デジタル放送受信装置１の実施形態を示すブロック図
【図２】本発明に係る移動体デジタル放送受信装置１の実施形態において、表示部５に表示される双方向通信用の画面２５および放送映像２８を模式的に示す図
【図３】本発明に係る移動体デジタル放送受信装置１の実施形態において、記録部２７に記録されたＢＭＬデータを用いることによって表示部５に表示される双方向通信用の画面２５の一例を模式的に示す図
【図４】本発明に係る移動体デジタル放送受信装置１の実施形態を示すフローチャート
【図５】本発明に係る移動体デジタル放送受信装置１の実施形態において、記録部２７に記録されたＢＭＬデータを用いることによって表示部５に表示される双方向通信用の画面２５の図３と異なる他の一例を模式的に示す図
【符号の説明】
【０１２９】
１  移動体デジタル放送受信装置
２  制御部
５  表示部
２５  双方向通信用の画面
２７  記録部
【図１】
2007036682.tif 000003
【図２】
2007036682.tif 000004
【図３】
2007036682.tif 000005
【図４】
2007036682.tif 000006
【図５】
2007036682.tif 000007